【手続補正書】
【提出日】平成22年4月1日(2010.4.1)
【手続補正１】
【補正対象書類名】明細書
【補正対象項目名】特許請求の範囲
【補正方法】変更
【補正の内容】
【特許請求の範囲】
【請求項１】
シートを供給するシート供給手段と、
前記シート供給手段によって供給されるシートを搬送するシート搬送手段と、
前記シート搬送手段のシートが通過する位置に配設されてシートの通過を検知する第１のシート通過検知手段と、
前記第１のシート通過検知手段の下流側に配設されてシートの通過を検知する第２のシート通過検知手段と、
前記第２のシート通過検知手段の下流側に配設されて、シートの供給を停止した状態でシートの先端を一旦受け止めてシートの撓みによってシートの斜行を修正した後、シートの供給を開始してシートを搬送する斜行修正手段と、
前記シート供給手段がシート供給動作開始後、前記第１のシート通過検知手段がシートを検知しているとき前記シート搬送手段のシート搬送速度を遅くし、前記第１のシート通過検知手段がシートを検知していないとき前記シート搬送手段のシート搬送速度を前記第１のシート通過検知手段がシートを前記検知した場合のシート搬送速度より速くするシート搬送速度制御手段と、
前記第２のシート通過検知手段がシートを検知したとき、第２のシート通過検知手段と前記斜行修正手段との距離及びシートの撓ませ量と前記シート搬送手段のシート搬送速度とに基づいて前記斜行修正手段がシートの供給を開始するシート供給開始時間を設定する撓み解除制御手段と、
を備えたことを特徴とするシート搬送装置。
【請求項２】
前記撓み解除制御手段は、前記シート搬送速度を速くした場合、前記第１のシート通過検知手段と前記第２のシート通過検知手段との距離とシートの通過所要時間とに基づいて算出することを特徴とする請求項１に記載のシート搬送装置。
【請求項３】
シートを供給するシート供給手段と、
前記シート供給手段によって供給されるシートを搬送するシート搬送手段と、
前記シート搬送手段のシートが通過する位置に配設されてシートの通過を検知する第１のシート通過検知手段と、
前記第１のシート通過検知手段の下流側に配設されてシートの通過を検知する第２のシート通過検知手段と、
前記第２のシート通過検知手段の下流側に配設されて、シートの供給を停止した状態でシートの先端を一旦受け止めてシートの撓みによってシートの斜行を修正した後、シートの供給を開始してシートを搬送する斜行修正手段と、
前記シート供給手段がシート供給動作開始後、前記第１のシート通過検知手段がシートを検知しているとき前記シート搬送手段のシート搬送開始時間を遅くし、前記第１のシート通過検知手段がシートを検知していないとき前記シート搬送手段にシートの搬送動作を開始させるシート搬送開始制御手段と、
前記第２のシート通過検知手段がシートを検知したとき、第２のシート通過検知手段と前記斜行修正手段との距離及びシートの撓ませ量と前記シート搬送手段のシート搬送速度とに基づいて斜行修正手段がシートの供給を開始するシート供給開始時間を設定する撓み解除制御手段と、
を備えたことを特徴とするシート搬送装置。
【請求項４】
前記撓み解除制御手段は、前記第１のシート通過検知手段がシートを検知していないとき前記シート搬送手段にシートの搬送動作を開始させた場合、前記シート搬送速度を前記第１のシート通過検知手段と前記第２のシート通過検知手段との距離とシートの通過所要時間とに基づいて算出することを特徴とする請求項３に記載のシート搬送装置。
【請求項５】
前記シート搬送手段は、前記シート供給手段によって供給されるシートを分離して搬送することを特徴とする請求項１乃至４の内、いずれか１項に記載のシート搬送装置。
【請求項６】
請求項１ないし５の内、いずれか１項に記載のシート搬送装置と、
前記シート搬送装置によって供給されたシートに画像を形成する画像形成手段と、
を備えたことを特徴とする画像形成装置。
【手続補正２】
【補正対象書類名】明細書
【補正対象項目名】０００８
【補正方法】変更
【補正の内容】
【０００８】
【課題を解決するための手段】
上記目的を達成するため、本発明のシート搬送装置は、シートを供給するシート供給手段と、前記シート供給手段によって供給されるシートを搬送するシート搬送手段と、前記シート搬送手段のシートが通過する位置に配設されてシートの通過を検知する第１のシート通過検知手段と、前記第１のシート通過検知手段の下流側に配設されてシートの通過を検知する第２のシート通過検知手段と、前記第２のシート通過検知手段の下流側に配設されて、シートの供給を停止した状態でシートの先端を一旦受け止めてシートの撓みによってシートの斜行を修正した後、シートの供給を開始してシートを搬送する斜行修正手段と、前記シート供給手段がシート供給動作開始後、前記第１のシート通過検知手段がシートを検知しているとき前記シート搬送手段のシート搬送速度を遅くし、前記第１のシート通過検知手段がシートを検知していないとき前記シート搬送手段のシート搬送速度を前記第１のシート通過検知手段がシートを前記検知した場合のシート搬送速度より速くするシート搬送速度制御手段と、前記第２のシート通過検知手段がシートを検知したとき、第２のシート通過検知手段と前記斜行修正手段との距離及びシートの撓ませ量と前記シート搬送手段のシート搬送速度とに基づいて前記斜行修正手段がシートの供給を開始するシート供給開始時間を設定する撓み解除制御手段と、を備えている。
【手続補正３】
【補正対象書類名】明細書
【補正対象項目名】０００９
【補正方法】変更
【補正の内容】
【０００９】
本発明のシート搬送装置の前記撓み解除制御手段は、前記シート搬送速度を速くした場合、前記第１のシート通過検知手段と前記第２のシート通過検知手段との距離とシートの通過所要時間とに基づいて算出するようになっている。
【手続補正４】
【補正対象書類名】明細書
【補正対象項目名】００１０
【補正方法】変更
【補正の内容】
【００１０】
上記目的を達成するため、本発明のシート搬送装置は、シートを供給するシート供給手段と、前記シート供給手段によって供給されるシートを搬送するシート搬送手段と、前記シート搬送手段のシートが通過する位置に配設されてシートの通過を検知する第１のシート通過検知手段と、前記第１のシート通過検知手段の下流側に配設されてシートの通過を検知する第２のシート通過検知手段と、前記第２のシート通過検知手段の下流側に配設されて、シートの供給を停止した状態でシートの先端を一旦受け止めてシートの撓みによってシートの斜行を修正した後、シートの供給を開始してシートを搬送する斜行修正手段と、前記シート供給手段がシート供給動作開始後、前記第１のシート通過検知手段がシートを検知しているとき前記シート搬送手段のシート搬送開始時間を遅くし、前記第１のシート通過検知手段がシートを検知していないとき前記シート搬送手段にシートの搬送動作を開始させるシート搬送開始制御手段と、前記第２のシート通過検知手段がシートを検知したとき、第２のシート通過検知手段と前記斜行修正手段との距離及びシートの撓ませ量と前記シート搬送手段のシート搬送速度とに基づいて斜行修正手段がシートの供給を開始するシート供給開始時間を設定する撓み解除制御手段と、を備えている。
【手続補正５】
【補正対象書類名】明細書
【補正対象項目名】００１１
【補正方法】変更
【補正の内容】
【００１１】
本発明のシート搬送装置の前記撓み解除制御手段は、前記第１のシート通過検知手段がシートを検知していないとき前記シート搬送手段にシートの搬送動作を開始させた場合、前記シート搬送速度を前記第１のシート通過検知手段と前記第２のシート通過検知手段との距離とシートの通過所要時間とに基づいて算出するようになっている。
【手続補正６】
【補正対象書類名】明細書
【補正対象項目名】００１２
【補正方法】変更
【補正の内容】
【００１２】
本発明のシート搬送装置の前記シート搬送手段は、前記シート供給手段によって供給されるシートを分離して搬送するようになっている。
【手続補正７】
【補正対象書類名】明細書
【補正対象項目名】００１５
【補正方法】変更
【補正の内容】
【００１５】
画像形成装置には、複写機、プリンタ、ファクシミリ、及びこれらの複合機等がある。シート搬送装置は、複写機の装置本体のみに設けられるものではなく、他のプリンタ等の装置本体にも設けられるようになっている。
【手続補正８】
【補正対象書類名】明細書
【補正対象項目名】００１９
【補正方法】変更
【補正の内容】
【００１９】
（第１実施形態のシート搬送装置）
第１実施形態のシート搬送装置３０は、ピックアップローラ（シート供給手段）３、フィードローラ（シート搬送手段）４、リタードローラ（シート搬送手段）５、モータＭ１，Ｍ２、レジストローラ対（斜行補正手段）６、シート分離状況検知センサ（第１のシート通過検知手段）１２、レジスト前センサ（第２のシート通過検知手段）１３、制御基板１１等を備えている。
【手続補正９】
【補正対象書類名】明細書
【補正対象項目名】符号の説明
【補正方法】変更
【補正の内容】
【符号の説明】
Ｐ      シート
１      複写機（画像形成装置）の装置本体
２      カセット
３      ピックアップローラ（シート供給手段）
４      フィードローラ（シート搬送手段）
５      リタードローラ（シート搬送手段）
６      レジストローラ対（斜行補正手段）
８      感光ドラム（画像形成手段）
１１      制御基板
１２      シート分離状況検知センサ（第１のシート通過検知手段）
１３      レジスト前センサ（第２のシート通過検知手段）
１４      複写機（画像形成装置）
２０      ＣＰＵ（シート搬送速度制御手段、シート搬送開始制御手段、撓み解除制御手段）
２１      回転ＯＮ／ＯＦＦ制御部（シート搬送開始制御手段）
２２      回転速度制御部（シート搬送速度制御手段）
２３      ＯＮ／ＯＦＦ制御部
３０      シート搬送装置
３１      シート搬送装置
【手続補正１０】
【補正対象書類名】図面
【補正対象項目名】図４
【補正方法】変更
【補正の内容】
【図４】
2002338091.tif 000001